(57)【要約】本発明は、構造から薄層を形成する方法に関し、ａ）気体種の導入を容易にするよう構成された第１部分（１０，３１）と第２部分（２０，３２）とから形成された積層構造を形成する段階であって、前記第２部分は前記第１部分と一体とされた第２表面と第１自由表面とを有する段階と、ｂ）脆化区域（１５）を形成して前記薄層が前記第２部分の前記第１表面と前記脆化区域との間に画定されるように、前記第１部分（１０，３１）から前記構造へ気体種を導入する段階と、ｃ）前記脆化区域の高さで前記構造の前記残部から前記薄層（２，３２）を分離する段階と、を含む。
2004515920.tif 000002
【特許請求の範囲】
【請求項１】
構造から薄層（２，３２）を形成する方法であって、
脆化区域を形成して該脆化区域の高さで前記構造を分離するために気体種を導入することを含み、
ａ）気体種の導入を容易にするよう構成された第１部分（１０，３１）と第２部分（２０，３２）とから形成された積層構造を形成する段階であって、前記第２部分は前記第１部分と一体とされた第２表面と第１自由表面とを有する段階と、
ｂ）脆化区域（１５）を形成して前記薄層が前記第２部分の前記第１表面と前記脆化区域との間に画定されるように、前記第１部分（１０，３１）から前記構造へ気体種を導入する段階と、
ｃ）前記脆化区域の高さで前記構造の前記残部から前記薄層（２，３２）を分離する段階と、
を含むことを特徴とする方法。
【請求項２】
請求項１記載の方法において、
前記気体種を導入することは、前記第１部分の自由表面を介してイオン注入することにより実施することを特徴とする方法。
【請求項３】
請求項１記載の方法において、
前記気体種を導入することにより、前記第１部分（１０）内に脆化区域（１５）を形成することを特徴とする方法。
【請求項４】
請求項１記載の方法において、
前記気体種を導入することにより、前記第２部分内に脆化区域を形成することを特徴とする方法。
【請求項５】
請求項１記載の方法において、
前記気体種を導入することにより、前記第１部分（３１）と前記第２部分（３２）との間の界面に脆化区域を形成することを特徴とする方法。
【請求項６】
請求項１記載の方法において、
前記第１部分は、気体種に関して高多孔性又は低阻止能を有する材料、又は前記気体種の前記第１部分への浸透深さに対応する厚さを有する材料を含むことを特徴とする方法。
【請求項７】
請求項２記載の方法において、
前記第１部分は、注入された気体種に対して透過性の支持体、すなわち前記注入された気体種に対する開口部を有する支持体を含み、該支持体の表面に対する前記開口部の全表面の割合は、生成された前記脆化区域の高さで前記分離が生ずるよう設定されていることを特徴とする方法。
【請求項８】
請求項７記載の方法において、
前記支持体はグリッド（１１）であり、前記第１部分（１０）は、前記グリッドに堆積されかつ前記第２部分（２０）と一体とされたフィルム（１２）をさらに含むことを特徴とする方法。
【請求項９】
請求項１記載の方法において、
前記第１部分（３１）は支持体（３０）上に最初に置かれた自己支持膜であり、
前記第２部分は操作可能な構造を与えるために成長によって前記第１部分上に形成されていることを特徴とする方法。
【請求項１０】
請求項９記載の方法において、
前記第２部分（３２）の成長は、ＣＶＤ堆積法又は液体相エピタキシャル法によって達成されることを特徴とする方法。
【請求項１１】
請求項１記載の方法において、
前記第１部分（１０）は、該第１部分上の前記第２部分の成長に対して種として作用する表面層（１４，１４″）を含むことを特徴とする方法。
【請求項１２】
請求項１１記載の方法において、
前記第２部分の成長は、ＣＶＤ堆積法又は液体相エピタキシャル法によって達成されることを特徴とする方法。
【請求項１３】
請求項１１又は１２記載の方法において、
前記気体種を導入することは、分離後前記脆化区域（１５）が前記第１部分（１０）の表面に残るように達成され、層（１４″）は前記第２部分上に第２部分をもう一度成長させるための種として作用することができることを特徴とする方法。
【請求項１４】
請求項１記載の方法において、
ｂ）段階の前段又はｃ）段階の前段で、中間支持体を前記第１部分に固定することを特徴とする方法。
【請求項１５】
請求項１４記載の方法において、
ｃ）段階の後段で、前記中間支持体を除去することを特徴とする方法。
【請求項１６】
請求項１記載の方法において、
前記構造は、分離を促進するよう意図された層を含み、前記気体種は該層へ導入されることを特徴とする方法。
【請求項１７】
請求項１記載の方法において、
前記分離する段階は、熱及び／又は機械エネルギーを前記脆化区域へ供給することによって実施することを特徴とする方法。
【請求項１８】
請求項１記載の方法において、
前記分離する段階は、前記脆化区域に沿って伝播するへき開端部を用いてへき開活動を開始するためにエネルギー供給を実施することを特徴とする方法。
【請求項１９】
請求項１記載の方法において、
前記気体種は、水素及び希ガスのうちから選択され、これらの種は単独で又は組み合わせで導入することができることを特徴とする方法。
【発明の詳細な説明】
【０００１】
【発明の属する技術分野】
この発明は、気体種の導入を含む薄層を形成する方法に関する。この発明によれば特に、比較的かなり大きな厚さの層を形成することができる。この発明は特に、半導体の分野での応用が見込まれる。
【０００２】
【従来の技術及び発明が解決しようとする課題】
気体種を固体材料へ導入するには、イオン注入によって好適に実施することができる。一例として、仏国特許発明第６８１４７２号明細書（米国特許第５，３７４，５６４号明細書に対応）には、半導体材料の薄膜を製造する方法について述べられている。この文献は、希ガス及び／又は水素を半導体材料で作られた基板へ注入すると、ある条件では、注入されたイオンの平均浸透深さに近い深さまでマイクロキャビティー又は小板の形成が誘起されそうだということを開示している。基板の注入面が補強材と密接に接触し、かつ熱処理が十分な温度で行われる場合には、各マイクロキャビティー間又は各小板間に相互作用が生じて、半導体基板が２つの部分へ分離される。一つは補強材に付着している薄い半導体フィルムであり、もう一つは半導体基板の残部である。分離は、マイクロキャビティー又は小板が存在する区域の高さで起こる。熱処理は、注入によって形成された各小板間又は各マイクロキャビティー間の相互作用が薄膜と基板の残部との間の分離を誘起することができるようなものである。かくして、最初の基板からこの薄膜に対して支持体として作用する補強材へ、薄膜の移動が達成される。
【０００３】
脆化区域の形成と該区域の高さでの分離とはまた、結晶体であっても又は結晶体でなくてもよい半導体材料、導体又は誘電体材料以外の固体材料の薄膜を製造するために用いられてもよい（仏国特許発明第７４８，８５９号明細書参照）。
【０００４】
この方法は非常に好都合であることが分かり、特にＳＯＩ基板を得るために用いられる。これらイオンの注入はある応用にとっては妨害となる可能性がある。しかしながら、得られた薄膜の厚さは、注入器によって提供された注入エネルギーに依存する。比較的厚い膜（例えば５０μｍ）を得るには非常に強力な注入器を必要とし、このことが、利用可能な厚さを制限することになる。マイクロキャビティーを形成するよう意図されたイオンが得られた薄膜を通過するという意味では、さらに欠点が存在することがある。
【０００５】
仏国特許発明第７３８，６７１号明細書（米国特許第５，７１４，３９５号明細書に対応）には、次の処理によって最初の基板の残部から表面層を分離することを可能にする脆化区域を形成するためにまた、イオン注入を用いる方法が開示されている。この文献によれば、イオン注入は、最初の基板の残部から表面層を分離した後に得られた薄膜が剛性を有するように、最小プリセット深さよりも深い又は最小プリセット深さと同一の深さまで実施される。自己支持膜、すなわち機械的に独立しかつ直接的に用いられ得るか又は操作され得る膜は、剛性膜と解される。
【０００６】
【課題を解決するための手段】
これらの欠点を克服するために、この発明は、基板の背面、すなわち所望の薄膜又は層と対向する基板の面を介して、気体種を注入（又は導入）することを提案する。気体種を注入するために、基板は背面側で「イオンに対して透過性」でなければならない。
【０００７】
かくして本発明の目的は、構造から薄層を形成する方法であって、脆化区域を形成して該脆化区域の高さで前記構造を分離するために気体種を導入することを含み、
ａ）気体種の導入を容易にするよう構成された第１部分と第２部分とから形成された積層構造を形成する段階であって、前記第２部分は前記第１部分と一体とされた第２表面と第１自由表面とを有する段階と、
ｂ）脆化区域を形成して前記薄層が前記第２部分の前記第１表面と前記脆化区域との間に画定されるように、前記第１部分から前記構造へ気体種を導入する段階と、
ｃ）前記脆化区域の高さで前記構造の前記残部から前記薄層を分離する段階と、
を含むことを特徴とする。
【０００８】
好ましくは、前記気体種を導入することは、前記第１部分の前記自由表面を介してイオン注入することにより実施する。
【０００９】
前記気体種を導入することにより、前記第１部分内、第２部分内、又は第１部分と第２部分との間の界面に、脆化区域を形成してよい。
【００１０】
前記第１部分は、気体種に関して高多孔性又は低阻止能を有する材料、又は前記気体種の前記第１部分への浸透深さに対応する厚さを有する材料を含んでよい。
【００１１】
気体種を導入することは、イオン注入によって実施され、前記第１部分は、注入された気体種に対して透過性の支持体、すなわち前記注入された気体種に対する開口部を有する支持体を含み、該支持体の表面に対する前記開口部の全表面の割合は、生成された前記脆化区域の高さで前記分離が生ずるよう設定されてよい。前記支持体はグリッドであり、前記第１部分は、前記グリッドに堆積されかつ前記第２部分と一体とされたフィルムを含んでよい。
【００１２】
前記第１部分は支持体上に最初に置かれた自己支持膜であり、前記第２部分は操作可能な構造を与えるために成長によって前記第１部分上に形成されてよい。前記第２部分の成長は、ＣＶＤ堆積法又は液体相エピタキシャル法によって達成されてよい。
【００１３】
好適には、前記第１部分は、該第１部分上の前記第２部分の成長に対して種として作用する表面層を含んでよい。前記第２部分の成長は、ＣＶＤ堆積法又は液体相エピタキシャル法（ｌｉｑｕｉｄ ｐｈａｓｅ ｅｐｉｔａｘｙ ｍｅｔｈｏｄ）によって達成されてよい。前記気体種を導入することは、分離後前記脆化区域が前記第１部分の表面に残るように達成され、層は前記第２部分上に第２部分をもう一度成長させるための種として作用することができる。
【００１４】
あるいは、ｂ）段階の前段又はｃ）段階の前段で、中間支持体を前記第１部分に固定する。ｃ）段階の後段で、前記中間支持体を除去してもよい。
【００１５】
前記構造は、分離を促進するよう意図された層を含み、前記気体種は該層へ導入されてよい。
【００１６】
前記分離する段階は、熱及び／又は機械エネルギーを前記脆化区域へ供給することによって実施してよい。
【００１７】
前記分離する段階は、前記脆化区域に沿って伝播するへき開端部を用いてへき開活動を開始するためにエネルギー供給を実施してよい。この技術は特に、国際公開９８／５２２１６号パンフレットに開示されている。
【００１８】
前記気体種は、水素及び希ガスのうちから選択され、これらの種は単独で又は組み合わせで導入することができる。
【００１９】
【発明の実施の形態】
添付の図面を参照して例として与えられた次の説明を読むことによって、本発明はより良く理解され、他の優位点及び他の特徴が明らかとなる。
【００２０】
図１Ａ〜図１Ｄは、構造の第１部分がグリッドを含む本発明の一実施形態を示す。
【００２１】
図１Ａはこの第１部分１０の全体を示す部分断面図である。第１部分１０は、断面を正方形又は矩形とすることができるバーから形成されたグリッド１１を含む。バーは例えば幅８０μｍであり、数１００マイクロメーターから数ミリメートルまで隔離されてよい。バー及びこれらバーを分離する空間の寸法に従って、グリッドは補強材として作用することができ、かつブリスタの形成を誘起することなく注入された区域の高さで分離させることができる。
【００２２】
各バーの間の空間があまりにも大きい場合、及び／又は、イオンの浸透深さが分離を誘起する（次いでブリスタが起こる）程、かつ自己支持膜を形成する程十分でない場合には、注入ステップの後、第１部分の自由表面上に補強材として作用する層が堆積されてよい。
【００２３】
グリッド１１はＳｉ又はＳｉＣウエハをエッチングすることによって形成することができる。
【００２４】
グリッド１１は、一つ又は複数の層、例えば２つの層１３及び１４から形成された膜（フィルム）１２に対して支持体として作用する。本方法の最後で単結晶シリコンの薄層を得る必要がある場合には、層１３は厚さ１μｍのＳｉＯ２とすることができ、層１４は厚さ２μｍのシリコンとすることができる。膜１２は、上で引用された仏国特許発明第７３８６７１号明細書に開示された方法で得ることができると共にグリッド１１上に堆積させることができる。膜１２は、当業者に公知となっている分子接着（ｍｏｌｅｃｕｌａｒ ａｄｈｅｓｉｏｎ）の技術によってグリッド１１と一体に形成することができる。接着剤はまた、イオン注入を妨げないことを保証する一方で、膜１２とグリッド１１とを接着するために用いることもできる。
【００２５】
次いで層１４は、構造の第２部分を形成するときに用いることができる。この様子は、構造の横断面図である図１Ｂに示されている。第２部分２０は、種として作用する層１４から成長することによって得られた単結晶シリコン層である。成長は、例えばＣＶＤ堆積技術又は液体相エピタキシー（ｌｉｑｕｉｄ ｐｈａｓｅ ｅｐｉｔａｘｙ）によって達成される。次いで第２部分２０は、数μｍ、さらには数１０μｍ、例えば５０μｍの厚さに達してよい。
【００２６】
構造の横断面図である図１Ｃは、グリッド１１を介して実施されるイオン注入ステップを示す。イオン注入は、矢印１によって象徴的に表された、線量１０１７Ｈ＋／ｃｍ２及びエネルギー４００ｋｅＶを有する水素イオンを注入することであってよい。大部分のイオンはシリコン層１４に達して層１４内に脆化区域１５を形成する。
【００２７】
脆化区域を形成するために気体種を材料層へ導入するにはまた、単独で又は組み合わせで用いられかつ仏国特許発明第７７３，２６１号明細書で述べられた他の方法で実施してもよい。
【００２８】
構造の横断面図である図１Ｄは分離ステップを示す。分離はアニールすることによって及び／又は機械的な力を用いることによって行うことができる。次いで薄層２が、第２部分２０の自由表面２１と脆化区域の最初の位置との間に得られる。次いで最初の層１４は２つのサブレイヤ１４′及び１４″へ分割される。厚さ約５０μｍの薄層２は使用するために回収される。積層グリッド１１、層１３及びサブレイヤ１４″（膜１２′を形成している）で構成される構造の残りの部分は、新しい第１部分として再利用することができ、サブレイヤ１４″は新しい第２部分を形成するための種として作用する。
【００２９】
この実施形態では、脆化区域は、構造の第１部分に属する層１４内に形成され、それ故に得られた薄層は、構造の第１部分と第２部分の一部（サブレイヤ１４′）とを含む。２つの部分の界面に脆化区域を形成することも、この発明の構成の範囲に含まれる。この場合、得られた薄層は構造の第２部分に正確に対応する。この変形例は、この界面に形成された欠陥区域が分離を容易にするという一つの利点を有する。この欠陥区域は、分離を容易にする結晶欠陥及び／又はマイクロキャビティーを含んでよい。構造の第２部分に脆化区域を形成することも可能であり、この場合、得られた薄層は第２部分の一部に対応する。
【００３０】
本方法の一変形例では、例えば２００ｋｅＶの注入エネルギーに対して気体種を導入することができる。この場合、分離の前に、補強材として作用し、かつ分離を可能にする層が第１部分の自由表面上に加えられる。この層は例えば、３μｍの酸化ケイ素から構成されてよい。
【００３１】
構造の第２部分はまた、積層から構成されてよい。第２部分は、一時的に又は一時的ではなく、中間支持体へ固定されてよい。
【００３２】
例えば第２部分を形成する前に作られ、脆化区域の高さで分離を容易にするよう意図された特定の層が構造に設けられてよい。この特定の層は、第１部分のシリコン層にエピタキシャル成長されたＳｉＧｅ層とすることができる。第２部分はＳｉＧｅ層上にエピタキシャル成長され、注入は応力の加えられたＳｉＧｅ層の高さで実施される。特定の層は、ホウ素が高濃度にドープされたシリコン層とすることができる。そのような材料は低熱及び／又は機械供給によって分離することができる。
【００３３】
図２Ａ〜図２Ｄは、構造の第１部分が自己支持膜によって構成された本発明の他の実施形態を示す。これらの図は横断面図である。
【００３４】
図２Ａは、支持体３０に接着することなく支持体３０上に堆積された自己支持膜３１を示す。この自己支持膜３１は、上で引用された仏国特許発明第７３８６７１号明細書に開示された方法によって得られた、例えば厚さ５μｍのシリコン膜である。この膜３１は構造の第１部分を構成する。
【００３５】
図２Ｂは層３２が膜３１上に形成されている様子を示す。層３２は、層３１上にエピタキシャル成長された厚さ４５μｍのシリコン層とすることができる。層３２は構造の第２部分を構成する。かくして操作可能な構造が得られる。
【００３６】
図２Ｃはイオン注入ステップを受けるために支持体３０上でひっくり返された構造を示す。次いで水素イオン（象徴的に矢印３３で表された）が、例えば線量１０１７Ｈ＋／ｃｍ２及びエネルギー５００ｋｅＶで注入される。この実施形態では、脆化区域が２つの部分３１と３２との間の界面に形成される。この脆化区域を形成するために、例えばヘリウム及び水素の共同注入を行うことができる。
【００３７】
構造は再び、例えば熱処理又は部分熱処理によって、次いで機械的な力を加えることによって支持体上でひっくり返され、部分３１と３２との間の分離が得られる。第２部分３２によって構成された薄層が、図２Ｄに示すように、得られる。部分３１は本発明の方法を適用するために再利用される。
【００３８】
本発明は異なる材料の薄層を得ることに適用される。かくしてオプトエレクトロニクス又はマイクロエレクトロニクスへの応用でＧａＮの自己支持層を得ることが可能となる。この場合、自己支持膜はＳｉＣとすることができる。この膜上に、ＧａＮの厚い層を、例えば１０５０℃のエピタキシャル成長によって形成することができる。次いで水素を、２５０ｋｅＶで線量１０１６Ｈ＋／ｃｍ２で、ＧａＮとの界面付近のＳｉＣに注入することができる。例えば８５０℃の熱処理によって注入された区域の高さで分離される。分離から発生してＳｉＣの薄膜の設けられた自己支持ＧａＮ膜が得られる。依然として自己支持しているＳｉＣ膜の残部は再利用することができる。
【図面の簡単な説明】
【図１Ａ】この発明の第１実施形態を示す図である。
【図１Ｂ】この発明の第１実施形態を示す図である。
【図１Ｃ】この発明の第１実施形態を示す図である。
【図１Ｄ】この発明の第１実施形態を示す図である。
【図２Ａ】この発明の第２実施形態を示す図である。
【図２Ｂ】この発明の第２実施形態を示す図である。
【図２Ｃ】この発明の第２実施形態を示す図である。
【図２Ｄ】この発明の第２実施形態を示す図である。
【符号の説明】
２，３２      薄層
１０，３１      第１部分
１１      グリッド
１２      膜（フィルム）
１４，１４″      表面層
１５      脆化区域
２０，３２      第２部分
３０      支持体
【国際公開パンフレット】
2004515920.tif 000003
2004515920.tif 000004
2004515920.tif 000005
2004515920.tif 000006
2004515920.tif 000007
2004515920.tif 000008
2004515920.tif 000009
2004515920.tif 000010
2004515920.tif 000011
2004515920.tif 000012
2004515920.tif 000013
2004515920.tif 000014
2004515920.tif 000015
2004515920.tif 000016
2004515920.tif 000017
2004515920.tif 000018
2004515920.tif 000019
2004515920.tif 000020
2004515920.tif 000021
2004515920.tif 000022
2004515920.tif 000023
2004515920.tif 000024
【国際調査報告】
2004515920.tif 000025
2004515920.tif 000026
2004515920.tif 000027
2004515920.tif 000028
2004515920.tif 000029
2004515920.tif 000030